(57)【要約】【課題】簡単にガスを生成し、生成されたガスを高濃度で吸入することができるストローを提供する。【解決手段】  飲料水の中にストローを挿すと、飲料水とガス発生剤６とが反応してガスが発生する。発生したガスは、内側筒３に形成した穴７を介してストロー本体１内に入り、飲料とともに摂取される。【選択図】    図７
2014094042.tif 000002
【特許請求の範囲】
【請求項１】
ストロー下部にガス発生領域と飲料流路とが設けられたストローであって、前記ストロー下部にはストロー本体と同径以上の径を有する筒部材が装着され、前記ストロー下部はストロー本体と同軸で小径に絞られ、前記ストロー下部内方を飲料流路とし、前記ストロー下部外側と前記筒部材内側の間をガス発生剤が充填されるガス発生空間とし、更に前記ストロー下部にはガス発生空間と飲料流路とを連通する開口が形成されていることを特徴とするストロー。
【請求項２】
ストロー下部にガス発生領域と飲料流路とが設けられたストローであって、前記ストロー下部にはストロー本体と同径以上の径を有する筒部材が装着され、前記ストロー下部はストロー本体の軸に対し一方に偏心するとともに断面積が絞られ、前記ストロー下部内方を飲料流路とし、前記ストロー下部外側と前記筒部材内側の間がガス発生剤を充填するガス発生空間とし、更に前記ストロー下部にはガス発生空間と飲料流路とを連通する開口が形成されていることを特徴とするストロー。
【請求項３】
ストロー下部にガス発生領域と飲料流路とが設けられたストローであって、前記ストロー下部は舌状部に形成され、この舌状部の表面にガス発生剤が付着せしめられ、またストロー本体の外側には筒部材が装着され、この筒部材がストロー本体の下端に位置することで、前記舌状部が前記筒部材の内側に丸められて収納されることを特徴とするストロー。
【発明の詳細な説明】
【技術分野】
【０００１】
本発明はガスが高濃度に溶解した溶液を生成するストローに関する。
【背景技術】
【０００２】
容器内の飲料にガスを発生させるものとして特許文献１が知られている。この特許文献1には、マグネシウム粒と銀粒を充填し表面に小さな穴が形成されたセラミック製ケースが提案され、このケースを水中に浸すことで水とマグネシウムとが接触して水中に水素ガスが発生するようにしている。
【０００３】
特許文献２には、ストロー内に顆粒状の風味添加剤を充填し、例えばこのストローで牛乳を飲むと、風味添加剤が溶け出してミルクココアなどの味になる内容が開示されている。
【０００４】
また特許文献３には、ストロー内に一部が液体の流路になるように造形されたチョコレート柱を挿入した内容が開示されている。
【０００５】
特許文献４には、固形食品が内蔵されたストローが提案されており、ストローに内蔵された固形食品が溶液内に排出されることにより固形食品が溶液に溶解もしくは分離され、この溶液をストローを用いて摂取する内容が開示されている。
【先行技術文献】
【特許文献】
【０００６】
【特許文献１】特開２００５−１６１２０９号公報
【特許文献２】特表２００１−５０２１７３号公報
【特許文献３】米国特許第５，０９４，８６１号公報
【特許文献４】特表２０１２−５１１９９１号公報
【発明の開示】
【発明が解決しようとする課題】
【０００７】
コーラなどの炭酸飲料は飲料中に炭酸ガスを過飽和に溶存させ、キャップを外して大気圧にすることで、飲料中に炭酸ガスを一気に発生させるようにしている。そのため、容器は高圧に耐えることができるプラスチック製、ガラス製、あるいはスチール缶、アルミ缶製となっており、安価な紙製の容器は使用されていない。
【０００８】
また最近、水素水も販売されているが、水素分子はきわめて小さく通常の容器では保存できないため、アルミ箔と樹脂フィルムとを何層も重ねた多層膜を使用するようにしている。しかしながら、それでも短時間のうちに水素ガスの多くは消失してしまう。
【０００９】
特許文献１に開示される内容は、セラミック製のケース内にマグネシウム粒と銀粒を充填しており、セラミック製ケースを薄厚に成形するのは困難であることを考えると、特許文献２の考えを応用してストロー内にマグネシウム粒と銀粒を充填したケースを装着することはありえない。
【００１０】
一方、風味添加剤の代わりにマグネシウム粒と銀粒を直接ストロー内に充填するのは手間がかかり、仮に充填した場合、瞬時に大量のガスが発生して、ストローが膨れて破れたり、ストローの吸い口から大量のガスとともに飲料が噴出してしまうことが考えられる。
【００１１】
市販されている炭酸飲料や水素水は飽和濃度に近い濃度、あるいは過飽和の状態でガスが溶存しているからこそ、旨味を感じたり、体に有効に機能するのであるが、飲料が噴出するほど急激に大量のガスが発生するのは飲料として適さない。
尚、特許文献１のように徐々にガスを発生させることも可能であるが、この場合には、旨味を感じたり、体に有効に足るだけのガスの量を吸い込むことができない。
【００１２】
また特許文献３のチョコレート柱の代わりにガス発生剤を用いることも考えられるが、特許文献３のチョコレート柱の外径はストローの内径と略等しく且つ変形しにくい。その結果、チョコレート柱をストロー内に挿入するのに手間がかかり現実的ではない。
【００１３】
また、特許文献４の固形食品をガス発生剤とした場合、ガス発生剤はストローから離脱し溶液中に排出されているため、発生したガスは溶液全体に拡散することにより薄まってしまい、ガス発生水を飲むことはできるものの、ガスを高濃度で吸い込むことができない。更には、ストローの位置によってはガスの気泡がない部分を吸い込んでしまい、ガスを吸い込むことができない場合もある。
【課題を解決するための手段】
【００１４】
上記課題を解決するため第１発明にかかるストローは、ストロー下部にガス発生領域と飲料流路とが設けられたストローであって、前記ストロー下部にはストロー本体と同径以上の径を有する筒部材が装着され、前記ストロー下部はストロー本体と同軸で小径に絞られ、前記ストロー下部内方を飲料流路とし、前記ストロー下部外側と前記筒部材内側の間をガス発生剤が充填されるガス発生空間とし、更に前記ストロー下部にはガス発生空間と飲料流路とを連通する開口が形成された構成である。
第１発明にあっては、ガス発生領域は二重構造の外側部、飲料流路は二重構造の内側部となる。
【００１５】
また第２発明にかかるストローは、ストロー下部にガス発生領域と飲料流路とが設けられたストローであって、前記ストロー下部にはストロー本体と同径以上の径を有する筒部材が装着され、前記ストロー下部はストロー本体の軸に対し一方に偏心するとともに断面積が絞られ、前記ストロー下部内方を飲料流路とし、前記ストロー下部外側と前記筒部材内側の間をガス発生剤が充填されるガス発生空間とし、更に前記ストロー下部にはガス発生空間と飲料流路とを連通する開口が形成された構成である。
第２発明にあっては、ガス発生空間と飲料流路とは左右に分離した構造になる。
【００１６】
また第３発明に係るストローは、ストロー下部にガス発生領域と飲料流路とが設けられたストローであって、前記ストロー下部は舌状部に形成され、この舌状部の表面にガス発生剤が付着せしめられ、またストロー本体の外側には筒部材が装着され、この筒部材がストロー本体の下端に位置することで、前記舌状部が前記筒部材の内側に丸められて収納される構成である。
【発明の効果】
【００１７】
水素ガス、炭酸ガスまたは酸素ガスなどのガスを予め飲料内に充填し保持するのではなく、飲む直前になって発生させるため、高圧に耐えられる容器やアルミ箔と樹脂フィルムとを何層も重ねた多層膜からなる容器を用意する必要がない。
更に、上記の効果をストローのみで発揮することができ、簡便で且つ安価である。
【００１８】
水素ガスの場合、水素ガスのみを吸引する場合には２％の濃度が予防医学的効果があるとされている。一方水素ガスを水に飽和させた水素水の場合、濃度（１気圧下）は１．６ｐｐｍ程度であるが、この濃度でも、水素水の方が２％濃度の水素ガスを吸引するよりも。医学的効果があることが報告されている。
【００１９】
またストローの内部で発生したガスを飲料と一緒に飲み込むため、逃げてしまうガスの量が少なく、ガスが高濃度に溶解した飲料とすることができる。
【図面の簡単な説明】
【００２０】
【図１】本発明に係るストローの全体図
【図２】同ストローの下部の拡大断面図
【図３】ガス発生剤の拡大図
【図４】ガス発生剤を構成する繊維の拡大断面図
【図５】ガス発生剤の別の例を示す拡大図
【図６】図５に示したガス発生剤をロールした状態を示す図
【図７】ガスが発生している状態を示す図２と同様の図
【図８】別実施例に係るストローの下部の拡大断面図
【図９】第２発明に係るストローを示す図２と同様の図
【図１０】図９を下から見た図
【図１１】第２発明に係るストローを示す図２と同様の図
【図１２】図１１のＡ−Ａ先断面図
【図１３】第２発明に係るストローの筒部材をストロー本体の下端に位置せしめる前の状態を説明した斜視図
【図１４】紙パックに適用した例を示す斜視図
【発明を実施するための最良の形態】
【００２１】
以下に本発明の実施例を説明する。
ストローはストロー本体１の上端から約１／４の箇所に伸縮且つ折り曲げ可能な蛇腹部２が形成され、ストロー下部３は図２に示すように、ストロー本体１と一体的に連続し、且つ小径に絞られている。
【００２２】
前記ストロー下部３の外側には筒部材４が装着されている。この筒部材４はストロー本体１と同径になっているが、筒部材４の径をストロー本体１よりも大径としてもよい。
【００２３】
前記ストロー下部３の軸はストロー本体１の軸と同軸とされ、その結果二重筒構造となっている。そして、前記ストロー下部３の内側空間は飲料流路Ｓ１とされ、前記ストロー下部３の外側面と筒部材４の内側面との間の空間はガス発生領域Ｓ２とされ、これら飲料流路Ｓ１とガス発生領域Ｓ２とをストロー下部３に形成した開口５によって連通している。尚、筒部材４とストロー本体１とを一体的に連続させ、内側に別体としてストロー下部３を配置してもよい。
【００２４】
前記ガス発生領域Ｓ２にはガス発生部材６が収納され、ストローの下端は非透水性シール７が貼られている。使用に当たってはこの非透水性シール７を剥がす。
【００２５】
前記ガス発生剤６としては、炭酸ガスを発生させる場合には炭酸水素ナトリウムの粉末、水素ガスを発生される場合は水素化マグネシウムなどが好ましい。
【００２６】
図３及び図４は水素化マグネシウムを用いた場合のガス発生剤６の具体的な構成の例を示し、ガス発生剤６は綿状をなすガラス繊維や樹脂繊維などの繊維１０の表面に接着層１１を介して水素化マグネシウムの粒子１２と、水と接触した場合に反応を速めるための固体酸の粒子１３が付着している。固体酸としては、無水クエン酸や結晶クエン酸などのカルボン酸、アスコルビン酸が挙げられる。但し、氷酢酸は融点が約１６℃なので固体酸として使用できない。
【００２７】
図５及び図６は同じく水素化マグネシウムを用いた場合のガス発生剤６の具体的な構成例を示し、この例にあっては、樹脂シート１４に水素化マグネシウムの粒子１２と、これよりも大径の粒子１５を付着し、ロールした場合に図６に示すように、大径の粒子１５によって樹脂シート１４間に水などの飲料が通過する隙間を形成している。尚、大径の粒子１５としてクエン酸などの固体酸の粒子を用いてもよい。
【００２８】
以上において、非透水性シール７を剥がし、ストローの下端を水などの飲料に漬けると、図７に示すように、飲料とガス発生剤６とが反応し、ガスが発生する。発生したガスはストロー下部３に形成した開口５を通ってストロー本体１内に入り、気液混合飲料として口から飲む。
【００２９】
図８はストローの別実施例を示し、この実施例にあってはストロー下部３の下端を潰して溶着している。前記実施例にあってはストロー下部３の下端は開放されているので、ストローを吸うとストロー下部３の下端からはガスの入っていない飲料が取り込まれる。
取り込むガスの量を多くするには図８に示したように、ストロー下部３の下端を溶着するか、他の手段で閉塞すればよい。
【００３０】
図９は第２発明に係るストローを示す図２と同様の図であり、この第２発明にあっては、ストロー本体１と一体的に連続するストロー下部３を一方に偏心させた状態で絞ることで飲料流路Ｓ１を画成し、ストロー下部３の外側に筒部材４を装着することで、図１０に示すように飲料流路Ｓ１の横にガス発生部材６を収納するガス発生領域Ｓ２を画成し、これら飲料流路Ｓ１とガス発生領域Ｓ２とをストロー下部３に形成した開口５で連通している。
【００３１】
上記した実施例において、ガス発生部材６がガス発生領域Ｓ２から脱落するのを防止するため接着剤でガス発生部材６をストロー下部３または筒部材４に接着してもよい。
【００３２】
図１１は第２発明に係るストローを示す図２と同様の図、図１２は図１１のＡ−Ａ線断面図であり、この第３発明にあってはストロー本体１の下部３を舌状部１６とし、この舌状部１６の表面（内側面）にガス発生剤６を付着せしめ、舌状部１６の表面近傍をガス発生領域Ｓ２としている。この実施例にあってはガス発生剤６は粉末状とする。
【００３３】
第３発明に係るストローは、筒部材４をストロー本体１に固着せずに摺動自在に外嵌している。その結果、製造の過程において、開いた状態の舌状部１６表面に接着剤を塗布したり、両面テープを貼り付けた状態で舌状部１６の表面を粉末状ガス発生剤６に押し付けるだけで、簡単にガス発生剤６を舌状部１６の表面に付着せしめることができる。
【００３４】
そして、ガス発生剤６を付着せしめた後、図１３に示すように筒部材４をストロー下部３まで押し下げる。この過程で舌状部１６は筒部材４の内側面に倣って曲げられ、筒部材４内に収納される。この状態でガス発生剤６を水に接触させるとガスが発生し、発生したガスは飲料流路Ｓ１を介して摂取される。  
【００３５】
図１４は本発明に係るストローの適用例を示しており、この例のように本発明に係るストローは紙パックのセットとして販売できし、単品で販売することもできる。
【産業上の利用可能性】
【００３６】
本発明に係るストローは、ガス発生剤を代えることによって水素ガス、炭酸ガス或いは酸素ガス以外を発生させるストローとしても利用することができる。
【符号の説明】
【００３７】
１…ストロー本体、２…蛇腹部、３…ストロー下部、４…筒部材、５…開口、６…ガス発生剤、７……非透水性シール、１０…繊維、１１…接着層、１２…水素化マグネシウム粒子、１３…固体酸粒子、１４…樹脂シート、１５…大径粒子、１６…舌状部。
【図１】
2014094042.tif 000003
【図２】
2014094042.tif 000004
【図３】
2014094042.tif 000005
【図４】
2014094042.tif 000006
【図５】
2014094042.tif 000007
【図６】
2014094042.tif 000008
【図７】
2014094042.tif 000009
【図８】
2014094042.tif 000010
【図９】
2014094042.tif 000011
【図１０】
2014094042.tif 000012
【図１１】
2014094042.tif 000013
【図１２】
2014094042.tif 000014
【図１３】
2014094042.tif 000015
【図１４】
2014094042.tif 000016